(57)【特許請求の範囲】
【請求項１】
長さ方向に移動し得るランナーが設けられたカーテンレールに着脱可能の支持杆を具え、
該支持杆は、前記カーテンレールの長さに合わせて伸縮可能に構成されると共に、カーテンの上縁部分を着脱可能に支持するものであり、前記カーテンレールの長さに略合わせて長さ調節された状態で、その少なくとも一端側が、前記カーテンレールの一端部側に着脱可能に止着されるものとなされ、又該支持杆は、前記ランナーの所要のものに着脱可能に掛着し得る掛着片を有すると共に、該支持杆のいずれか一方の端部側には、ロック具を着脱可能に保持するホルダーが固定されており、
又、前記カーテンの幅方向の少なくとも両側で昇降コードが上下方向に配置され、該昇降コードは、該カーテンに上下所要間隔で設けたコード挿通部に挿通せしめられ、その下端部がカーテンの所要部位に固定状態とされると共に、各昇降コードが、該カーテンの上縁部分に設けた案内部を挿通して、前記ホルダー側に延長せしめられ、全ての昇降コードが前記ロック具のコード案内路に挿通せしめられており、該コード案内路を通った昇降コードを下方に引くことによって、前記カーテンが、ひだ状部分が積み重なる状態に引き上げられる如くなされ、所要の引き上げ状態で、前記昇降コードが前記ロック具によりロックされることを特徴とする引き上げ式カーテン装置。
【請求項２】
長さ方向に移動し得るランナーが設けられ且つ少なくとも一端部側に止着孔が設けられたカーテンレールに着脱可能の支持杆を具え、
該支持杆は、前記カーテンレールの長さに合わせて伸縮可能に構成されると共に、カーテンの上縁部分を着脱可能に支持するものであり、その少なくとも一端部側には、前記カーテンレールの長さに略合わせて長さ調節された状態で前記止着孔に着脱可能に掛着し得る止着片が設けられ、又該支持杆は、前記ランナーの所要のものに着脱可能に掛着し得る掛着片を有すると共に、該支持杆のいずれか一方の端部側には、ロック具を着脱可能に保持するホルダーが固定されており、
又、前記カーテンの幅方向の少なくとも両側で昇降コードが上下方向に配置され、該昇降コードは、該カーテンに上下方向に所要間隔で設けた紐挿通部に挿通せしめられ、その下端部がカーテンの所要部位に固定状態とされると共に、各昇降コードが、該カーテンの上縁部分に設けた案内部を挿通して、前記ホルダー側に延長せしめられ、全ての昇降コードが前記ロック具のコード案内路に挿通せしめられており、該コード案内路を通った昇降コードを下方に引くことによって、前記カーテンが、ひだ状部分が積み重なる状態に引き上げられる如くなされ、所要の引き上げ状態で、前記昇降コードが前記ロック具によりロックされることを特徴とする引き上げ式カーテン装置。
【発明の詳細な説明】
【０００１】
【発明の属する技術分野】
本発明は、ひだ状部分が積み重なる状態に引き上げられる簡易な引き上げ式カーテン装置に関するものである。
【０００２】
【従来の技術】
ひだ状部分が多段に積み重なる状態に引上げ可能に構成された従来の引上げ式カーテン装置ａは、図１８に示すように、付設されるべき窓部の横幅に略等しい長さに設定した直棒状の支持バーｂを、窓開口部の上縁に沿ってブラケットを介して取り付け、該支持バーｂの室内側の面部に、面状ファスナｃ，ｃを介してカーテンｄの上縁部分を固定し、該カーテンｄを吊下状態にすると共に、該支持バーｂの一端にロック具ｅを固定してなるものであった。
【０００３】
そして該支持バーｂには、図１９〜２０に示すようにその長さ方向に沿って、ロック具ｅの固定側から支持バーの反対側に向けて所要間隔で案内リングｆを固設すると共に、該案内リングｆの数に相当する本数の昇降コードｇの束ｈを、前記ロック具ｅに通し、その束を構成する昇降コードを、前記案内リングｆ毎に垂らし、該垂らした昇降コードｇを、カーテンｄの裏面において上下方向に所要間隔で設けた紐通しｉに順次挿通せしめ、該昇降コードの下端をカーテンｄの下端寄り部位に固定状態としてなるものであった。
【０００４】
そして、前記ロック具ｅに挿通した昇降コードの束ｈを下方向に引くことにより、前記カーテンｄを、図１８に示すように、ひだ状部分ｍが積み重なる状態に引上げ可能となされており、所要の引上げ状態で、昇降コードｇが前記ロック具ｅの係止作用によってロックされ、カーテンｄがその引上げ状態で固定されるように構成されていた。
【０００５】
【考案が解決しようとする課題】
しかしながら、かかる構成の引上げ式カーテン装置によるときは、次のような問題点があった。
【０００６】
(1) 引上げ式カーテンを付設しようとする窓開口部の幅は一定していないため、窓開口部の幅に応じて、それに見合う長さの支持バーをオーダーメイドで製作せざるを得なかった。かかることから、その支持バーの製造コストが高くつく問題があった。
【０００７】
(2) 又、前記ロック具ｅを支持バーｂの一端側に固定するには、該支持バーの断面形状がまちまちであることから、該ロック具の支持バーに対する止着部を、対象となる支持バーの断面形状に適合するように個別的に設計製作しなければならなかった。例えば、断面形状がコ字形を呈する支持バーと、断面形状がＩ字形を呈する支持バーとでは、止着部の構成を別異にしなければならず、又、断面形状が例えばコ字形を呈していても、その寸法が異なれば止着部を別異に構成せざるを得なかったために、ロック具が区々になり、その製造コストの上昇を招く問題があった。
【０００８】
(3) 又、前記カーテンを定期的に洗濯せんとする場合は、該カーテンに取り付けられている昇降コードを前記支持バーに固設されている案内リングやロック具から取り外さなければならなかったが、その取り外しは非常に面倒であった。又洗濯後においては、各昇降コードをカーテンに所要に取り付け直さなければならず、この作業は、昇降コードを取り外す場合よりも一層面倒であった。
【０００９】
本発明は、かかる従来の問題点に鑑みて開発されたものであり、引き上げ式カーテン装置を付設せんとする窓開口部等の幅の違いに容易に応ずることができると共に、昇降コードをロックさせるロック具の止着部の構成を単純化でき、然も、カーテンの洗濯を容易に行うことのできる引き上げ式カーテン装置の提供を課題とするものである。
【００１０】
【課題を解決するための手段】
前記課題を解決するため、本発明は以下の手段を採用する。
即ち本発明に係る引き上げ式カーテン装置は、長さ方向に移動し得るランナーが設けられたカーテンレールに着脱可能の支持杆を具える。該支持杆は、前記カーテンレールの長さに合わせて伸縮可能に構成されると共に、カーテンの上縁部分を着脱可能に支持するものであり、前記カーテンレールの長さに略合わせて長さ調節された状態で、その少なくとも一端側が、前記カーテンレールの一端部側に着脱可能に止着されるものとなされている。この止着により、支持杆の、カーテン長さ方向での移動が規制される。又該支持杆は、前記ランナーの所要のものに着脱可能に掛着し得る掛着片を有すると共に、該支持杆のいずれか一方の端部側には、ロック具を着脱可能に保持するホルダーが固定されている。又、前記カーテンの幅方向の少なくとも両側で昇降コードが上下方向に配置され、該昇降コードは、該カーテンに上下所要間隔で設けたコード挿通部に挿通せしめられ、その下端部がカーテンの所要部位に固定状態とされると共に、各昇降コードが、該カーテンの上縁部分に設けた案内部を挿通して、前記ホルダー側に延長せしめられ、全ての昇降コードが前記ロック具のコード案内路に挿通せしめられており、該コード案内路を通った昇降コードを下方に引くことによって、前記カーテンが、ひだ状部分が積み重なる状態に引き上げられる如くなされ、所要の引き上げ状態で、前記昇降コードが前記ロック具によりロックされることを特徴とするものである。
【００１１】
又本発明に係る引き上げ式カーテン装置は、長さ方向に移動し得るランナーが設けられ且つ少なくとも一端部側に止着孔が設けられたカーテンレールに着脱可能の支持杆を具える。該支持杆は、前記カーテンレールの長さに合わせて伸縮可能に構成されると共に、カーテンの上縁部分を着脱可能に支持するものであり、その少なくとも一端部側には、前記カーテンレールの長さに略合わせて長さ調節された状態で前記止着孔に着脱可能に掛着し得る止着片が設けられている。そして該止着片が前記止着孔に掛着された状態で、支持杆の、カーテン長さ方向での移動が規制される。又該支持杆は、前記ランナーの所要のものに着脱可能に掛着し得る掛着片を有すると共に、該支持杆のいずれか一方の端部側には、ロック具を着脱可能に保持するホルダーが固定されている。又、前記カーテンの幅方向の少なくとも両側で昇降コードが上下方向に配置され、該昇降コードは、該カーテンに上下方向に所要間隔で設けた紐挿通部に挿通せしめられ、その下端部がカーテンの所要部位に固定状態とされると共に、各昇降コードが、該カーテンの上縁部分に設けた案内部を挿通して、前記ホルダー側に延長せしめられ、全ての昇降コードが前記ロック具のコード案内路に挿通せしめられており、該コード案内路を通った昇降コードを下方に引くことによって、前記カーテンが、ひだ状部分が積み重なる状態に引き上げられる如くなされ、所要の引き上げ状態で、前記昇降コードが前記ロック具によりロックされることを特徴とするものである。
【００１２】
【発明の実施の形態】
以下、本発明の実施の形態を図面に基づいて説明する。
図１〜４において本発明に係る引き上げ式カーテン装置（以下カーテン装置という）１は、カーテンレール２に着脱可能な支持杆３を具える。そして該支持杆３は、伸縮可能に構成されており、カーテン５の上縁部分を着脱可能に支持する。又該支持杆３の一方の端部側に、前記カーテン５に取り付けられた昇降コード６をロックさせるロック具７を着脱可能に支持するホルダー９が固定されている。
【００１３】
前記カーテンレール２は、カーテン５を吊下するために使用されている各種の既製品そのものである。図１、図５はその一例を示すもので、対向した支持片１０，１０を下端に有する軽量溝形鋼材を用いて構成されており、該対向する支持片１０，１０で下方から支持されたランナー１１がレール長さ方向に移動可能である。又該カーテンレール２の一端側には、止着孔１２が設けられた固定部材１３が嵌着固定されている。
【００１４】
又前記支持杆３は、図１、図６〜７に示すように、例えばアルミニウム製の横長平板状をなす第１部材１５と第２部材１６とが、その一方の鳩尾状の係止突条１７と他方の蟻溝状の係止条溝１９とが係合した状態で重なり合っており、長さ方向に相対的にスライドして、前記カーテンレール２の長さに合わせて伸縮可能である。
【００１５】
そして図１、図３に示すように、前記支持杆３の一端部側（本実施の形態においては、前記第１部材１５の一端部）２０の上端側部位に設けられた止め孔２１に、前記止着孔１２に着脱可能に掛着し得るフック状の止着片２２が取り付けられている。
【００１６】
又図１〜４に示すように、前記カーテンレール２の長さに略合わせて長さ調節された支持杆３の例えば両側に位置させて、フック状の掛着片２３，２３が取り付けられている。該フック状の掛着片２３は、例えば図３に示すように、該支持杆３を前後から弾性的に挾持し得るＵ字状挾持部２５の後側の片２６の上端に、前記ランナーの所要のもの１１ａに着脱可能に掛着し得る係止片２７を下方に屈曲形成した構成を有している。又該所要に長さ調節された支持杆３の前面側に、図８に示すように、面状ファスナの一片２９が固定されている。
【００１７】
前記ホルダー９は、図３、図９〜１０に示すように、前記支持杆３の何れか一方の端部側（本実施の形態においては前記第１部材１５の端部）３０を挿通させ得る上下に長い矩形状挿通孔３１が設けられてなる矩形板状の固定筒部３２の下端に、該固定筒部３２の後面側に突出する状態で、内方に屈曲する受片３３，３３が下端に対向状態に設けられてなる前後の垂下片３５，３５を具える矩形筒状の保持筒部３６が設けられている。又前記固定筒部３２の後面部の略中央には、ねじ込み筒部３７が突設されており、該ねじ込み筒部３７にビス３９をねじ込み可能となされている。
【００１８】
かかる構成を有するホルダー９を支持杆３の一方の端部側３０に固定する要領は、図３に示すように、その矩形状挿通孔３１に前記第１部材１５を挿通させ、該ホルダー９を、例えば、前記止着片２２が設けられている側に位置せしめ、その後図１１に示すように、前記ねじ込み筒部３７にビス３９をねじ込み、該ビス３９の先端４０を前記第１部材１５の後面部４１を押圧状態として行う。
【００１９】
そして前記ロック具７は図９〜１０に示すように、前記保持筒部３６内に、着脱可能に弾性圧入状態で挿入せしめられ、該挿入された状態で前記ホルダー９に保持される。
【００２０】
又前記カーテン５は、図２に示すように、その下端部分にウエイトバー４２が納められており、その上縁部分４３の後面には、図４、図８に示すように、前記面状ファスナ２９と着脱自在に係合し得る面状ファスナ４５が取り付けられている。そして該上縁部分４３の後面の長さ方向の両端側及び中央部位には図１〜２に示すように、前記昇降コード６を横方向で挿通させるリング状の案内部４６が、例えば、そのフック部をカーテンに引っ掛けることにより取着されている。なお、支持杆３の前記一端部側に存する案内部４６ａは、前記ホルダー９の稍内方に位置させて設けられている。又該カーテン５の後面部には、前記した夫々の案内部４６の下側に位置させて、上下所要間隔で、リング状のコード挿通部４９が設けられている。
【００２１】
前記昇降コード６は、図２に示すように、夫々の案内部４６，４６，４６に対応させて設けられており、上下方向に並設されたコード挿通部４９，４９，４９，４９に挿通せしめられると共に、その下端部がカーテンの所要部位（本実施の形態においては下端近傍）４８に固定状態とされる。この固定状態は、例えば結着手段や、昇降コード６の下端に設けた突部を、カーテンに設けた挿通部の下縁と係合させる等により行われる。そして各昇降コード６は、前記案内部４６を挿通して前記ホルダー９側に延長せしめられ、３本の昇降コード６，６，６が、図３、図１２に示すように、前記ロック具７のコード案内路５２に挿通せしめられている。
【００２２】
該ロック具７は、図１２〜１３に示すように、該コード案内路５２にロックローラ５３が納設されている。該ロックローラ５３は、図１２〜１３に矢印で示す斜め方向で上下動可能であり、上方向に移動するにつれ、該ロックローラ５３とコード案内路の外側の壁面５５との間の距離が小さくなるように構成されている。そして前記３本の昇降コード６，６，６は、これを図１２に矢印で示すように内側に傾けたときに前記ロックローラ５３の周面５６に接触可能となるように、前記コード案内路５２に下向きに挿通せしめられている。なお該ロック具７は、、ロックローラ５３等の金属部分がステンレス製とされている。
【００２３】
然して、前記コード案内路５２を通った３本の昇降コード６，６，６を下方に引くと、前記カーテン５が、図１４に示すように、ひだ状部分５７が積み重なる状態で引き上げられていく。
【００２４】
そして、所要の引き上げ状態で前記ロック具７をロック状態に作動させる。この作動は、前記昇降コード６，６，６の束を、図１２に矢印で示すように内側にしゃくるように傾けて前記ロックローラ５３の周面５６に接触させて行う。引き上げたカーテンが自重で下降しようとすることに伴う前記昇降コードの戻り作用により、前記ロックローラ５３が図１３に示すように上昇し、その結果、各昇降コード６が該ロックローラ５３とコード案内路５２の外側の壁面５５との間で挾持された状態となる。これにより昇降コード６がロックされ、従って、カーテン５の所要の引き上げ状態が保持されることになるのである。
【００２５】
又前記とは逆に、前記昇降コードの束を図１３に矢印で示すように外側にしゃくるように傾けることにより、昇降コード６と前記ロックローラ５３との接触が解除されて該ロックローラ５３が図１２に示すように下に落ちる。これにより前記挾持状態が解除されるため、カーテン５を下ろすことができる。
【００２６】
本実施の形態においては、前記支持杆３に設けられた止着片２２を、前記カーテンレール２の一端側に設けられた止着孔１２に掛着させる構成を採用するため、該カーテンレール２の長さ方向（横方向）での支持杆３の移動を規制できる。従って、前記昇降コード６を前記ロック具７によりロックさせる際やロックを解除する際に、前記のように昇降コード６を横方向でしゃくっても、該支持杆３の不用意な横移動を防いで該ロック操作及びロック解除操作を確実に行うことができる。
【００２７】
然して前記カーテン装置１を組み立てるには、前記支持杆３を、カーテンレール２の長さに合わせて所要に長さ調節する。又３本の昇降コード６，６，６を、図４に示すようにカーテン５に取り付け且つこれらを、前記ロック具７のコード案内路５２に通す。又図８、図３に示すように、前記面状ファスナ２９，４５を介して、カーテンの上縁部分４３を前記支持杆３に固定すると共に、前記ロック具７を前記ホルダー９に取り付ける。その後図１〜２に示すように、前記支持杆３に設けられた止着片２２を、前記カーテンレールの一端部側に設けられた止着孔１２に掛着させると共に、該支持杆３に取り付けられた前記掛着片２３を所要のランナー１１の係止孔５４に掛着させる。
【００２８】
図３〜４は、前記カーテン５を洗濯するためにカーテン装置１を分解する工程を説明するものである。図３は、前記止着片２２を前記止着孔１２から取り外すと共に、前記掛着片２３を前記ランナー１１の係止孔５４から取り外すことによって、支持杆３をカーテンレール２から分離した状態を示すものである。その後図４に示すように、カーテン５の上縁部分４３を、前記面状ファスナ２９，４５の係合解除によって前記支持杆３から分離させ、且つ、前記ロック具７を前記ホルダー９から取り外す。
【００２９】
このようにカーテンの上縁部分４３を分離させ且つロック具７を取り外しても、３本の昇降コード６，６，６はカーテン５に所要配置で取り付いた状態にあり、且つ昇降コード６，６，６がロック具７に所要に通された状態にあって、カーテン５とロック具７が昇降コードを介して連なっている。そのため例えば、該カーテン５とロック具７とを昇降コード６と共に洗濯袋に納めて、カーテンを容易に洗濯できる。洗濯の際にロック具７も水に漬かるが、その金属部分は前記のようにステンレス製であるために錆の恐れがない。
【００３０】
洗濯後は、図８、図３に示すように、カーテンの上縁部分４３を前記面状ファスナ２９，４５を介して前記支持杆３に所要に固定すると共に、前記ロック具７を前記ホルダー９に取り付ける。このようにしてカーテン５を支持杆３に固定し且つロック具７をホルダー９に取り付け、然る後、図１に示すように、前記止着片２２を前記止着孔１２に掛着し且つ前記掛着片２３を所要のランナー１１に掛着させることにより、カーテン装置１を容易に組み立てることができる。カーテン５とロック具７に昇降コード６が所要状態に取りついているため、洗濯後にカーテン装置を組み立てる際、昇降コード６をカーテン５やロック具７に所要に取り付け直さなければならないといった、従来装置における面倒さがない。
【００３１】
〔その他の実施の形態〕
本発明は、前記実施の形態で示したものに限定されるものでは決してなく、「特許請求の範囲」の記載内で種々の設計変更が可能であることはいうまでもない。その一例を挙げれば次のようである。
【００３２】
(1) ランナーが設けられた前記カーテンレール２は、その断面形状や、ランナーの移動の構成を問わない。例えば図１５に示すような、円環状のランナー１１が横方向にスライド可能に設けられた棒状のカーテンレール等を採用することもできる。図１５においては、該ランナー１１の下端に設けられた係止孔５４に、前記支持杆３に設けられた掛着片２３が着脱可能に係着されている。
【００３３】
(2) 又カーテンレールの端部に設けられる止着孔１２は、カーテンレールの端部に嵌着等により固定される前記固定部材に設けられることの他、図１５〜１６に示すように、レール長さ方向に若干移動はできてもそれ以上の移動が規制される、前記ランナー１１と同様構成の規制部材５９の有する孔６０として構成されることもある。或いは、カーテンレールに直接設けた孔部として構成されることもある。要は、前記支持杆に設けられた止着片と着脱可能に掛着でき、且つ該掛着により、前記支持杆のレール長さ方向での移動を阻止できるようにカーテンレールに設けられた孔状の部分であればよい。
【００３４】
(3) カーテンレール２の両端部側に止着孔１２を設け、前記支持杆３の両端部に設けた止着片２２を、対応の止着孔１２に掛着させることもある。このように構成する場合は、支持杆の両端部側がカーテンレールの両端部側に安定的に止着されることとなる。
【００３５】
(4) 前記支持杆をカーテンレールの端部側に着脱可能に止着する構成は、前記実施の形態で示したように、該支持杆に設けた止着片を、カーテンレールに設けた止着孔に着脱可能に掛着させることの他、クリップ等の挾持具を用いてカーテンレールの端部側に着脱可能に止着させることもある。或いは、支持杆の端部側に設けた磁石を、カーテンレール側に設けた磁性部に着脱可能に吸着させる構成も採用できる。
【００３６】
(5) 前記支持杆の伸縮可能の構成は、カーテンの長さに合わせて伸縮できるものであれば、前記実施の形態で示したものの他、外パイプに内パイプを長さ調節可能に挿入した構成のものであってもよい。
【００３７】
(6) 前記支持杆３によるカーテン上縁部分の着脱可能の支持は、前記実施の形態で示したように面状ファスナを用いて行うことの他、カーテンの上縁部分に横方向に設けた袋状収容部内に支持杆３を取り外し可能に挿入状態にして行うこと等、各種の着脱構成を採用できる。
【００３８】
(7) ランナーの所要のものに着脱可能に掛着し得る掛着片２３は、図３に示すような、支持杆を弾性挾持し得るフック状を呈するものに限られず、フック状等を呈する止着片を支持杆に直接取り付けるものであってもよい。
【００３９】
(8) 前記ホルダー９は、前記ロック具７を着脱可能に保持できるものであれば、各種に構成できると共に、支持杆３に対するホルダーの固定手段は、前記ビス固定による他、クリップ方式や粘着テープを用いる手段等、各種の公知手段を採用できる。
【００４０】
(9) 前記ロック具７は、ひだ状部分が積み重なる状態に所要に引き上げられたカーテンの該引き上げ状態を保持するために前記昇降コードをロックできる構成のものであれば、前記実施の形態で示したものの他、各種に構成できる。
【００４１】
(10)カーテンに上下所要間隔で設けられたコード挿通部４９は、前記実施の形態で示したように、カーテンに取り付けられた挿通部材を用いて構成することの他、例えば図１７に示すように、カーテンに設けた透孔として構成することもある。又カーテンの上縁部分に設ける案内部４６は、昇降コード６を横方向で前記ホルダーに向けて案内できるものであれば各種に構成できる。
【００４２】
(11)本発明に係るカーテン装置は、表側カーテンと裏側カーテンとを重ね合わせて夫々を引き上げ可能とした二重カーテンを用いて構成することもできる。その場合は、前記カーテンレールの長さに略合わせて長さ調節された支持杆の両端部にホルダーを固定し、一方のホルダーに、一方のカーテンに取り付けられた昇降コードをロック操作するためのロック具を着脱可能に保持させると共に、他方のホルダーには、他方のカーテンに取り付けられた昇降コードをロック操作するためのロック具を着脱可能に保持させる。
【００４３】
【発明の効果】
本発明は以下の如き優れた効果を奏する。
(1) 本発明に係るカーテン装置は、窓開口部等に設けられているカーテンレールに対して、カーテンの上縁部分を着脱可能に支持する支持杆を着脱可能に取り付ける構成を採用すると共に、昇降コードをロックするためのロック具を着脱可能に保持するホルダーを該支持杆に固定する構成を採用している。
従って、ロック具を支持バーに直接に取り付ける構成を有した前記従来装置におけるように、支持バーの断面形状やその寸法に応じて、支持バーに対するロック具の止着部を個別的に設計製作しなければならないといった問題点を解消でき、カーテン装置の製造コストの低減を期し得る。
【００４４】
(2) 本発明に係るカーテン装置は、支持杆の一端部側或いは両端部側をカーテンレールの端部側に着脱可能に止着する構成を採用するため、該カーテンレールの長さ方向（横方向）での支持杆の移動を規制できる。従って、前記昇降コードを前記ロック具によりロックさせる際やロックを解除する際に、例えば図１２〜１３に示すように昇降コードを横方向でしゃくっても、支持杆の不用意な横移動を防いで該ロック操作及びロック解除操作を確実に行うことができる。
【００４５】
(3) 又本発明に係るカーテン装置は、前記のように、支持杆をカーテンレールから取り外し可能に構成すると共に、カーテンの上縁部分を支持杆に着脱可能に支持させ、該支持杆に固定されたホルダーに対してロック具を着脱可能としている。そのため、カーテンの上縁部分を支持杆から分離し且つロック具をホルダーから取り外すと、昇降コードが所要に取り付いたカーテンを、該昇降コードにロック具が所要に通された状態のものとして前記支持杆から独立させることができる。これにより、該カーテンとロック具を昇降コード６と共に洗濯袋に納める等して、カーテンを容易に洗濯できる。
そして洗濯後は、カーテンの上縁部分を前記支持杆に固定すると共に、前記ロック具を前記ホルダーに取り付け、該支持杆の少なくとも一端部側を前記カーテンレールの端部側に着脱可能に止着させ、且つ前記掛着片を前記ランナーの所要のものに着脱可能に掛着させることにより、カーテン装置を容易に組み立てることができる。この際、カーテンとロック具に昇降コードが所要状態に取り付いているため、従来装置におけるような、カーテンとロック具に昇降コードを所要に取り付け直さなければならないといった面倒さがない。
【００４６】
(4) 又本発明に係るカーテン装置は、前記支持杆を、カーテンレールの長さに合わせて伸縮可能に構成しているため、その長さ調節により、窓開口部等に設けられている既存のカーテンレールをそのまま用いて、これに適合する状態でカーテン装置を容易に構成できる。
【図面の簡単な説明】
【図１】本発明に係るカーテン装置を説明する部分斜視図である。
【図２】その全体を示す背面図である。
【図３】カーテンの上縁部分を支持した支持杆をカーテンレールから取り外した状態を示す部分斜視図である。
【図４】カーテンを支持杆から取り外した状態を示す部分斜視図である。
【図５】ランナーが設けられたカーテンレールを示す部分斜視図である。
【図６】支持杆を示す部分斜視図である。
【図７】支持杆を示す側面図である。
【図８】カーテンレールの上縁部分を支持杆に取り付けた状態を示す断面図である。
【図９】支持杆とホルダーとロック具を分解して示す斜視図である。
【図１０】ロック具をホルダーに取り付けた状態を示す斜視図である。
【図１１】支持杆に対するホルダーの取り付け状態を示す断面図である。
【図１２】ロック具のロック解除状態を示す断面図である。
【図１３】ロック具のロック状態を示す断面図である。
【図１４】カーテンの引上げ状態を示す部分斜視図である。
【図１５】本発明に係るカーテン装置のその他の態様を示す斜視図である。
【図１６】支持杆の一端部側に設けられた止着孔の他の態様を示す斜視図である。
【図１７】コード挿通部の他の態様を示す断面図である。
【図１８】従来のカーテン装置を説明する斜視図である。
【図１９】その背面図である。
【図２０】従来のカーテン装置のロック具を示す斜視図である。
【符号の説明】
１  カーテン装置
２  カーテンレール
３  支持杆
５  カーテン
６  昇降コード
７  ロック具
９  ホルダー
１１  ランナー
１２  止着孔
１３  固定部材
２２  止着片
２３  掛着片
４６  案内部
４９  コード挿通部
５２  コード案内路
５３  ロックローラ
【図１】
0003680039.tif 000002
【図２】
0003680039.tif 000003
【図３】
0003680039.tif 000004
【図４】
0003680039.tif 000005
【図５】
0003680039.tif 000006
【図６】
0003680039.tif 000007
【図７】
0003680039.tif 000008
【図８】
0003680039.tif 000009
【図９】
0003680039.tif 000010
【図１０】
0003680039.tif 000011
【図１１】
0003680039.tif 000012
【図１２】
0003680039.tif 000013
【図１３】
0003680039.tif 000014
【図１４】
0003680039.tif 000015
【図１５】
0003680039.tif 000016
【図１６】
0003680039.tif 000017
【図１７】
0003680039.tif 000018
【図１８】
0003680039.tif 000019
【図１９】
0003680039.tif 000020
【図２０】
0003680039.tif 000021